(57)【要約】【課題】溝状のラッチ凹部を有するラッチ部材を回動可能に枢支した施錠装置において、そのラッチ部材のラッチ凹部に円滑に嵌入して施錠することができ、係止部の位置調整も容易に行なうことができる施錠装置の受け具を提供する。【解決手段】溝状のラッチ凹部４５を設けたラッチ部材４０を、基枠体３１の支持板３３に回動可能に枢支し、ラッチ凹部４５内に、対応位置に固定した受け具１の係止部３，４を嵌め入れながら、ラッチ部材４０を回動させてラッチ位置にラッチ部材をロックさせて施錠する施錠装置の受け具である。金属板の取付部２の一部を曲折して板状の係止芯部５，６が形成され、係止芯部５，６に合成樹脂製被覆部１０が、係止芯部の元部側から少なくとも係止芯部の縁部を被覆する形態で嵌め込まれる。合成樹脂製被覆部１には、係止芯部５，６の縁部を被覆する箇所に略円柱状の円柱部１１が形成される。【選択図】図２
2008174948.tif 000002
【特許請求の範囲】
【請求項１】
溝状のラッチ凹部を設けたラッチ部材を、基枠体の支持板に回動可能に枢支し、該ラッチ部材のラッチ凹部内に、対応位置に固定した受け具の係止部を嵌め入れながら、該ラッチ部材を回動させてラッチ位置にロックさせ、施錠する施錠装置の受け具において、
金属板製の取付部の一部を曲折して板状の係止芯部が形成され、該係止芯部に合成樹脂製被覆部が、該係止芯部の元部側から少なくとも該係止芯部の縁部を被覆する形態で嵌め込まれ、該合成樹脂製被覆部には、該係止芯部の縁部を被覆する箇所に略円柱状の円柱部が形成されたことを特徴とする施錠装置の受け具。
【請求項２】
前記円柱部は前記合成樹脂製被覆部の両側の縁部に形成され、該合成樹脂製被覆部は前記係止芯部の縁部を両側から挟み該係止芯部の一面を覆う形状に形成され、該合成樹脂製被覆部は、該係止芯部の元部側から摺動させて嵌め込まれ、該係止芯部の曲げ先端部または大径先端部に当接して停止することを特徴とする請求項１記載の施錠装置の受け具。
【発明の詳細な説明】
【技術分野】
【０００１】
本発明は、スロットマシン、パチンコ機などのゲーム機用の施錠装置に使用される施錠装置の受け具に関し、特に回動可能に軸支したラッチ部材の溝状のラッチ凹部に受け具の係止部を嵌め込むようにロックする施錠装置の受け具に関する。
【背景技術】
【０００２】
従来、パチンコ機、スロットマシンなどのゲーム機用の施錠装置として、前面枠の内側から突出する爪状の鉤部材に代えて、溝状のラッチ凹部を設けた略卵型のラッチ部材を、基枠体の支持板に回動可能に枢支し、そのラッチ部材のラッチ凹部内に、本体枠側に固定した受け金具の係止ピンを嵌め入れながらラッチ部材を回動させ、作動杆に突設した係止凸部に、ラッチ部材の係合部を係合させてラッチ部材をロックし、施錠する施錠装置が、下記特許文献１などで知られている。
【特許文献１】特許第３０８７０２４号公報
【発明の開示】
【発明が解決しようとする課題】
【０００３】
この施錠装置では、施錠装置を取り付けた前面枠を、受け金具を固定した本体枠に対し施錠する場合、前面枠を本体枠に対し閉じることにより、施錠装置のラッチ部材を本体枠側の受け金具の係止ピンに近づけ、このとき、係止ピンを受け金具のラッチ凹部に嵌め入れながら、ラッチ部材を回動させ、ラッチ凹部の開口部が内側のラッチ位置に回動したとき、作動杆の係止凹部をラッチ部材の係合部に係合させてロックし、施錠する。
【０００４】
しかるに、この種の施錠装置は、係止ピンがラッチ部材のラッチ凹部に嵌入することによりロックされるため、係止ピンとラッチ凹部との嵌め合いが円滑に行なわれ、スムーズに施錠することができるものの、ゲーム機の製造組立て段階で、施錠装置を実際のゲーム機の前面枠の内側に固定し、受け金具を本体枠の内側の対応位置に固定したとき、施錠装置のラッチ部材と受け金具の係止ピンの上下及び高さ位置が、正確に一致しないと、適正な施錠ができず、また施錠・解錠動作も円滑に行なわれない。
【０００５】
このため、製造組立て時には、適正な施錠状態が得られ且つ施錠・解錠動作がスムーズに行なわれるよう、受け金具の高さ位置や前後位置の調整を行なっているが、係止ピンをその端部のかしめにより固定した受け金具の場合、係止ピンの傾きなどを調整すると、係止ピンにがたつきを生じさせる原因となり、係止ピンの角度を大きく調整することが難しい。
【０００６】
このため、施錠装置と受け金具の取付位置の精度を非常に高くすることになるが、施錠装置と受け金具を固定する部材が、通常のゲーム機では合板であることから、取付位置の精度を大きく上げることは、組み付け作業時の作業性の問題などから難しいという課題があった。また、施錠装置の基枠体には、通常、1対のラッチ部材が上部と下部に軸支され、且つ1本の受け金具の上部と下部に係止ピンが突設される。このため、各々の係止ピンの取付位置を独立して調整することができないという課題があった。
【０００７】
本発明は、上述の課題を解決するものであり、溝状のラッチ凹部を有するラッチ部材を回動可能に枢支した施錠装置において、そのラッチ部材のラッチ凹部に円滑に嵌入して施錠することができ、係止部の位置調整も容易に行なうことができる施錠装置の受け具を提供することを目的とする。
【課題を解決するための手段】
【０００８】
本発明に係る施錠装置の受け金具は、溝状のラッチ凹部を設けたラッチ部材を、基枠体の支持板に回動可能に枢支し、該ラッチ部材のラッチ凹部内に、対応位置に固定した受け具の係止部を嵌め入れながら、該ラッチ部材を回動させてラッチ位置に該ラッチ部材をロックさせて施錠する施錠装置の受け具において、金属板の取付部の一部を曲折して板状の係止芯部が形成され、該係止芯部に合成樹脂製被覆部が、該係止芯部の元部側から少なくとも該係止芯部の縁部を被覆する形態で嵌め込まれ、該合成樹脂製被覆部には、該係止芯部の縁部を被覆する箇所に略円柱状の円柱部が形成されたことを特徴とする。
【０００９】
ここで、上記円柱部は前記合成樹脂製被覆部の両側の縁部に形成され、該合成樹脂製被覆部は上記係止芯部の縁部を両側から挟み該係止芯部の一面を覆う形状に形成され、該合成樹脂製被覆部は、該係止芯部の元部側から摺動させて嵌め込まれ、該係止芯部の曲げ先端部または大径先端部に当接して停止するように構成することができる。
【発明の効果】
【００１０】
上記構成の施錠装置の受け具によれば、金属板製の取付部の一部を曲折して板状の係止芯部を形成し、係止芯部には合成樹脂製被覆部が係止芯部の元部側から少なくとも係止芯部の縁部を被覆する形態で嵌め込まれ、合成樹脂製被覆部には、係止芯部の縁部を被覆する箇所に略円柱状の円柱部を形成したから、施錠装置に設けられたラッチ部材のラッチ凹部に対し、合成樹脂製被覆部の円柱部を嵌め入れ、ラッチ部材を回動させてロックし施錠する際、滑性の良好な合成樹脂製被覆部の円柱部を、ラッチ部材のラッチ凹部内に円滑に嵌め入れて、スムーズに施錠することができる。
【００１１】
また、ゲーム機の製造時の組立時には、施錠装置をゲーム機の前面枠の内側に取り付け、受け具を本体枠内の対応位置に固定するが、それらの固定位置の取付精度が比較的ラフであっても、受け具の係止部の係止芯部が、金属板を取付部に対し曲折して形成されているため、係止芯部の曲げ角度を微妙に調整して、そこに嵌着される合成樹脂製被覆部の円柱部の位置を、前後にまたは上下に簡便に調整して適正な施錠状態を確保し、施錠・解錠操作も円滑にできるように調整することができる。
【００１２】
さらに、合成樹脂製被覆部は係止芯部の元部側から係止芯部の縁部を被覆するように嵌め込まれ、係止芯部の曲げ先端部または大径先端部で止まるように構成すれば、受け具の取付部をキャビネット側に固定した状態では、合成樹脂製被覆部を元部側に外すことは不可能となり、係止芯部に容易に嵌着した合成樹脂製被覆部の嵌着状態を、永続的に保持することができる。
【発明を実施するための最良の形態】
【００１３】
以下、本発明の一実施形態を図面に基づいて説明する。図１はゲーム機の施錠装置に使用する受け具１の正面図、側面図、平面図を示し、図２、図３の同受け具１の斜視図を示している。この受け具１は、基本的には、縦長の帯状金属板の上部と下部に係止部３，４を設けて形成され、帯状金属板の部分が取付部２として形成され、取付部２には複数の固定孔９が穿設され、その取付部２の右側面をゲーム機のキャビネットの内側に当てて固定される。
【００１４】
上部と下部の係止部３，４は、帯状金属板の一部を矩形に切り起し、正面側に略直角に曲折して係止芯部５，６が形成され、図３〜図６に示すように、上部と下部の係止芯部５，６に、合成樹脂製被覆部１０が係止芯部５，６の元部側から係止芯部５，６の縁部を被覆する形態で嵌め込まれて構成される。金属板により矩形板状に形成された係止芯部５，６の先端は、背面側に略直角に曲折されて曲げ先端部５ａ，６ａが形成されている。また、図４などに示すように、係止芯部５，６の曲折部となる上下縁部の元部には、嵌入用凹部５ｂ、６ｂが形成され、合成樹脂製被覆部１０をこの元部から係止芯部５、６の両側縁部を挟むように嵌入可能となっている。
【００１５】
合成樹脂製被覆部１０は、ポリアセタール樹脂、ポリアミド樹脂などの耐摩耗性の高い硬質合成樹脂により成形され、図４、図５に示すように、上端部と下端部に、つまり係止芯部５，６の縁部を被覆する箇所に、略円柱状の円柱部１１が形成される。また、この合成樹脂製被覆部１０を成形する成形材料には、二硫化モリブデンなどの滑剤が添加されており、合成樹脂製被覆部１０の円柱部１１は適度な滑性を有し、施錠装置側のラッチ部材のラッチ凹部に対し滑らかに嵌合する形態となっている。
【００１６】
円柱部１１の外径は、後述の施錠装置におけるラッチ部材のラッチ凹部に密に嵌入可能な寸法に形成されている。上部と下部の円柱部１１の間は、係止芯部５，６の背面側を覆う板状部により連続し、その板状部に沿って円柱部１１の内側に、溝部１２が円柱の軸方向に沿って形成され、上部と下部の溝部１２に係止芯部５，６の上下の縁部を嵌入可能に形成されている。図４、図５に示すように、溝部１２の挿入側の一端は開口し、他端は閉鎖されている。合成樹脂製被覆部１０は、受け具１の右側面側から係止芯部の縁部を両側から挟む形態で、上下の溝部１２を縁部に差し込み、係止芯部５、６の元部側から摺動させて嵌め込まれるが、その差し込み先端は係止芯部５，６の先端の曲げ先端部５ａ，６ａに当接し停止する。
【００１７】
なお、合成樹脂製被覆部１０の円柱部１１は、上部と下部の両方に形成されているものの、施錠時には、後述のラッチ部材のラッチ凹部は下側に位置し、下部の円柱部１１にラッチ部材のラッチ凹部が嵌合して施錠されるため、合成樹脂製被覆部１０の円柱部１１は下部のもののみでもあってよい。一方、上下両側に円柱部１１を有する合成樹脂製被覆部１０であれば、ラッチ部材が受け具の係止部の上方から嵌入する施錠装置にも、受け具を共通して使用することができる。また、合成樹脂製被覆部１０は、係止芯部５、６の元部側から差し込んだ際、その差し込み先端は係止芯部５，６の先端の曲げ先端部５ａ，６ａに当接し停止する構成としたが、係止芯部５，６の先端の曲げ先端部は、大径先端部として止めることもできる。
【００１８】
図４に示す如く、合成樹脂製被覆部１０は、係止芯部５，６に対し、受け具１の取付部２の右側面側から、その縁部を溝部１２に差し込むように嵌め込むが、この受け具１は、その取付部２の右側面を、ゲーム機のキャビネット内側の被取付部に当てて固定するため、受け具１をキャビネットに固定した後は、合成樹脂製被覆部１０を挿入した係止芯部５，６の元部側は閉じられ、合成樹脂製被覆部１０が外れない構造となっている。
【００１９】
受け具１の取付部２には、段差を付けた段差部７が長手方向に沿った正面側に形成され、取付部２の曲げ強度を向上させている。また、取付部２の上部係止部３の真上位置に、滑り支持板８が設けられ、ゲーム機の前扉を閉じる際、施錠装置の支持ローラがこの滑り支持板８の上を転動して前面枠を支持する。
【００２０】
なお、上記受け具１は１本の長尺の取付部２の上部と下部に係止部３を設けて形成したが、取付部を上下に分離し、各々の取付部に係止部を形成することもできる。また、上記合成樹脂製被覆部１０は上下両側に円柱部１１を形成したが、施錠装置のラッチ部材に対応した側の一方の側にのみ、円柱部を設けることもできる。
【００２１】
次に、図８〜図１５を参照して、上記受け具１に対応した施錠装置本体を説明する。図８はスロットマシン用の施錠装置本体の左側面図（ａ）、右側面図（ｂ）、背面図（ｃ）、及び平面図（ｄ）を示している。この施錠装置本体は、上記受け具１の係止部３，４に係止されるラッチ部材４０，４０を、支持板３３の上部と下部に枢軸３５，３５を介して回動可能に枢支し、ラッチ部材４０，４０のラッチ凹部４５，４５内に係止部３，４の円柱部１１を嵌入し拘束して施錠するものである。
【００２２】
施錠装置本体は、縦長の基枠体３１を有し、基枠体３１は略コ字状断面を有したチャンネル材状に形成され、その底板を取付板３２とし、取付板３２に対し直角に曲折された幅広の支持板３３を有しており、取付板３２には複数の取付け孔が穿設される。取付板３２の上端部に、拡幅部３２ａが幅広に形成され、その拡幅部３２ａにはシリンダ錠３７を取り付けるための挿入孔が形成され、シリンダ錠３７はその挿入孔に内側から挿入され、そのフランジ３７ａを拡幅部３２ａの内側に当てて固定される。また、拡幅部３２ａの側部の支持板は、分割支持板３３ａとして分割して形成され、その分割支持板３３ａの下部に支持ローラ５２が回転自在に軸支される。
【００２３】
支持板３３の上部と下部の背面側に、その支持板３３の一部を切り欠くように開口凹部３３ｂ、３３ｃが形成され、この上部と下部の開口凹部３３ｂ、３３ｃの真下位置に各々、ラッチ部材４０，４０が枢軸３５，３５を軸に所定の角度範囲で回動可能に枢支される。このラッチ部材４０，４０は、施錠時、受け具１の係止部３，４が開口凹部３３ｂ、３３ｃに進入し、開口凹部３３ｂ、３３ｃの真下位置に枢支されたラッチ部材４０が係止部３，４の円柱部１１を受け入れて回動し係止する構造となっている。更に、図９に示すように、上部と下部の開口凹部３３ｂ、３３ｃの少し下方に各々、ラッチ部材４０側の係止ピン４４をガイドし且つ係止するガイド係止孔３８，３８が支持板３３に形成されている。
【００２４】
このガイド係止孔３８，３８は図９のように略Ｌ字状に形成され、支持板３３と平行な部分がロック部３８ａ，３８ａとして形成され、ラッチ部材４０、４０の係止ピン４４が、カバー板４２のガイド孔４２ａ，４２ａを移動し、同時にガイド係止孔３８、３８からそのロック部３８ａ，３８ａに進入したとき、ラッチ部材４０はラッチ状態となりロックされる。
【００２５】
さらに、上部と下部のガイド係止孔３８，３８の少し上の支持板３３に各々、支持凸部３９、３９が内側つまりラッチ部材４０，４０側に突出して設けられる。この支持凸部３９、３９は、図１１ｂに示すように、ラッチ部材４０の内側面に形成された円弧状の係合凹部４２ｂに進入し、ばね部材４３に当接する。これにより、ラッチ部材４０は、施錠時、図１５のように、ばね部材４３の付勢力に抗して回動し、解錠時に係止ピン４４がガイド係止孔３８のロック部３８ａから外れたとき、ラッチ部材４０はばね部材４３の付勢力により解錠方向に回動する。
【００２６】
図１１に示すように、ラッチ部材４０には、受け具１の係止部３，４を受け入れて拘束する溝状のラッチ凹部４５が形成され、更に、ラッチ部材４０内には、ラッチ部材４０をラッチ状態に係止するための係止ピン４４と付勢用のばね部材４３が内蔵される。また、ラッチ部材４０は、図１１のように、ラッチ本体４１とそれを覆うカバー板４２とを有して形成され、ラッチ本体４１内には空間が形成され、その内部空間にばね部材４３と係止ピン４４が収納される。
【００２７】
ラッチ本体４１は、ポリアセタール樹脂、ポリアミド樹脂などの耐摩耗性の高い硬質合成樹脂を用いて成形され、カバー板４２は、補強のために金属板を用いて形成される。ラッチ本体４１を成形する成形材料には、二硫化モリブデンなどの滑剤が添加されており、これによって、ラッチ部材４０の外面を形成するラッチ本体４１に適度な滑性をもたせ、受け具１側の係止部３，４の円柱部１１を滑らかに嵌入する形態となっている。また、ラッチ本体４１の内側面に金属板のカバー板４２を固定することにより、ラッチ部材４０の強度を補強している。
【００２８】
ラッチ部材４０に内蔵される係止ピン４４は、ラッチ部材４０をラッチ位置に回動させたとき、その位置で支持板３３のガイド係止孔のロック部３８ａに係止させてロックさせるもので、カバー板４２に形成されたガイド孔４２ａから支持板３３側に突き出して配設され、ばね部材４３により常に外側に付勢されている。
【００２９】
ばね部材４３は、図１１に示す如く、捻り形状を有する捻りばねであり、その一端で係止ピン４４を付勢し、その他端で支持板３３の内側に突設した支持凸部３９を付勢するように掛止され、その中央の円環部はラッチ部材４０の枢軸３５に外嵌させ、小円環部はラッチ本体４１内の偏倚位置に設けた凸部に外嵌させている。ラッチ部材４０のカバー板４２に形成された円弧状の係合凹部４２ｂには、支持板３３側の支持凸部３９が進入して係合され、ラッチ部材４０内のばね部材４３の他端がその支持凸部３９に係合している。つまり、このばね部材４３の他端が支持凸部３９に係合することにより、ラッチ部材４０は相対的に解錠側（図１５の時計方向）にばね力を受けて付勢される。
【００３０】
図１１のように、ラッチ部材４０は、内部にばね部材４３及び係止ピン４４を内蔵してユニット化され、ラッチ本体４１内に係止ピン４４、ばね部材４３を組み込み、カバー板４２を固定ねじで固定して、施錠装置の組立工程の前に予め製造しておくことができる。これにより、施錠装置の製造ラインでは、このラッチ部材４０を枢軸３５で軸支するだけでよく、組付け作業は簡単となる。
【００３１】
縦長で帯状の作動杆３４が、基枠体３１の支持板３３の外側及び分割支持板３３ａの内側に沿って摺動可能に配設される。作動杆３４には、図９に示すように、その上部と下部に作動係合部３４ａ，３４ｂが支持板３３側で且つラッチ部材４０側に向けて突設され、上記ラッチ部材４０、４０の係止ピン４４、４４が配置されるガイド係止孔３８、３８のロック部３８ａ，３８ａ内に進入しており、解錠時には、その作動係合部３４ａ，３４ｂの先端で係止ピン４４、４４を押して、ラッチを解除する構造である。なお、作動係合部３４ａ，３４ｂは作動杆３４の内側に配置されてその外側が金属板で覆われた形態にあり、ガイド係止孔３８，３８を通して支持板３３の外側の僅かに突出した係止ピン４４，４４の先端に作用する構造である。
【００３２】
また、作動杆３４には後述のカム部材５１が係合するための係合孔３４ｃ、３４ｄが、その対応箇所である上部に形成されている。さらに、作動杆３４の作動係合部３４ａ，３４ｂの真下位置にガイド孔３４ｇ、３４ｇが形成され、ガイドピン３６，３６がこのガイド孔３４ｇ、３４ｇに挿通されて支持板３３に固定され、これにより、作動杆３４の上下摺動がガイドピン３６，３６によりガイドされる。
【００３３】
作動杆３４は支持板３３の外側に沿って且つ分割支持板３３ａの内側に沿って配設され、１本のばね部材（コイルばね）４６により作動杆３４は上下にフローティング状態で支持され、所定の幅で上下に移動可能となっている。
【００３４】
具体的には、図９に示すように、ガイドピン４６ｃ、４６ｄが支持板３３の内側から、その支持板３３に設けたガイド孔３３ｄ，３３ｅから挿入される。さらに支持板３３の外側に位置する作動杆３４のガイド孔３４ｆ，３４ｅにガイドピン４６ｃ、４６ｄの先端が挿通され、作動杆３４の外側に突出したその先端に各々ばね掛止部材４６ａ，４６ｂが固定され、両側のばね掛止部材４６ａ，４６ｂ間にばね部材４６が掛けられる。これにより、作動杆３４は図８の中立位置から上方に且つ下方にばね部材４６の付勢力に抗して移動可能であり、作動杆３４がシリンダ錠３７によるカム部材５１の回動動作により上方又は下方に移動した後、移動力の消失により中立位置に戻る構造となっている。
【００３５】
また、この作動杆３４は、解錠作動用とスイッチ作動用に兼用とされ、作動杆３４の下部寄りにスイッチ作動部３４ｅが突設される。一方、スイッチ作動部３４ｅに対応した支持板３３に箇所には、機能スイッチ（光電式の非接触スイッチ）４７が取り付けられ、作動杆３４を下降させたとき、スイッチ作動部３４ｅが機能スイッチ４７に作用して機能スイッチ４７をオンオフさせる。この機能スイッチ４７はゲーム機のリセットなどに使用される。
【００３６】
このように、解錠用の作動杆３４を、解錠作動用とスイッチ作動用に兼用することにより、従来、必要としていた作動スイッチ用の作動杆やそれを付勢するコイルばねが不要となり、部品点数を削減し、施錠装置の構造を簡単化することができる。
【００３７】
図１０に示すように、基枠体３１の取付板３２の上部の拡幅部３２ａに大径孔が形成され、その大径孔に内側から挿入する形態でシリンダ錠３７が装着される。シリンダ錠３７はフランジ３７ａを有しそのフランジ３７ａを取付板３２の拡幅部３２ａにねじ止めして固定される。シリンダ錠３７の錠軸は基枠体３１の内側に突出し、その先端にカム部材５１が固定される。カム部材５１には第１の係合凸部５１ａと第２の係合凸部５１ｂが形成され、その第１の係合凸部５１ａは、シリンダ錠３７の鍵の右回転に応じて作動杆３４の係合孔３４ｄと係合し、第２の係合凸部５１ｂはその左回転に応じて係合孔３４ｃに係合可能である。
【００３８】
したがって、シリンダ錠３７の鍵を右に回すと、カム部材５１が回動して、カム部材５１の係合凸部５１ａが作動杆３４の係合孔３４ｄに係合し、ばね部材４６の付勢力に抗して作動杆３４を上昇させ、その作動係合部３４ａ，３４ｂによりラッチ部材４０，４０の係止ピン４４を押し上げて、ラッチ部材４０，４０を解錠動作させる。一方、シリンダ錠３７の鍵を左に回すと、カム部材５１が回動して、カム部材５１の係合凸部５１ｂが係合孔３４ｃに係合し、ばね部材４６の付勢力に抗して作動杆３４を下降させ、そのスイッチ作動部３４ｅが機能スイッチ４７内に進入し、スイッチをオンオフさせる。
【００３９】
さらに、基枠体３１の上部における取付板３２の背面側に、第２シリンダ錠４９が装着される。この第２シリンダ錠４９の錠軸には、ロック部材４８が固定され、ロック部材４８の先端部は取付板３２の拡幅部３２ａに設けたスリットから基枠体１の内側に進入し、カム部材５１と作動杆３４の間に挿入され、カム部材５１の回動による作動杆３４の解錠方向への移動を阻止する。
【００４０】
この第２シリンダ錠４９のロック部材４８によって、作動杆３４の解錠側への移動のみが阻止され作動杆３４はスイッチ作動方向（下方向）には移動可能とするために、ロック部材４８には、カム部材５１のスイッチ作動方向への回動時、その係合凸部５１ｂが進入可能な長孔が形成され、カム部材５１の同方向への回動を可能とする。
【００４１】
このように、シリンダ錠３７の解錠操作をロックして、解錠に場合は、第２シリンダ錠４９の第２の鍵により解錠操作した後、さらにシリンダ錠３７を解錠操作して、解錠するようにして、セキュリティをより向上させている。第２シリンダ錠４９は、取付板３２の上部背面側に突設した取付座部３２ｂに固定され、第２シリンダ錠４９の鍵口は施錠装置本体の左側面に向いて配置される。
【００４２】
上記構成の施錠装置本体は、図１２に示すように、ゲーム機の前扉２１の内側に取付板３２を介して縦に固定され、キャビネット２０内の対向位置に受け具１が取り付けられる。施錠装置本体のシリンダ錠３７の鍵口は、前扉２１の前面に露出し、第２シリンダ錠４９の鍵口は前扉２１の右側面の上部に露出する。
【００４３】
前扉２１をキャビネット２０に対し閉じると、図１２、図１３に示すように、受け具１の上下の係止部３，４が、施錠装置本体の上部と下部の開口凹部３３ｂ、３３ｃからラッチ部材４０，４０のラッチ凹部４５，４５内に進入する。このとき、図１４に示すように、係止部３，４の合成樹脂製被覆部１０の円柱部１１がラッチ部材４０，４０を押し込むようにして、ラッチ部材４０，４０が図１４の反時計方向に回動し、回動端までラッチ部材４０，４０が回動すると、ラッチ部材４０内の係止ピン４４がばね部材４３の付勢力によりガイド係止孔３８内で移動し、これによって、係止ピン４４がガイド係止孔３８のロック部３８ａに進入する。
【００４４】
このとき、ラッチ部材４０，４０の回動がロックされ、図１４の左端に示すように、ラッチ部材４０，４０のラッチ凹部４５、４５内に受け具１の係止部３，４が拘束され、ラッチ部材４０，４０がそのラッチ位置に保持され、施錠状態となる（図１３）。このような施錠時、上述のように、ラッチ部材４０のラッチ凹部４５とそこに嵌入される受け具１の合成樹脂製被覆部１０の円柱部１１は、適度な滑性を有した合成樹脂により成形されているため、非常にスムーズに施錠することができ、解錠動作も円滑に行なうことができる。また、耐磨耗性が良好な合成樹脂製のラッチ部材４０と受け具１の使用により、当接・接触箇所の摩耗を少なくして、ラッチ部材や受け具を長期にわたり安定して動作させることができる。
【００４５】
前扉２１を解錠する場合、先ず第２シリンダ錠４９に鍵を差し込んで回し、その錠軸のロック部材４８を図１２，１３の反時計方向に回し、ロック部材４８によるカム部材５１の回動（図８ｃの反時計方向への回動）を許容した状態とする。次に、シリンダ錠３７に鍵を挿入しその鍵を右に回すと、カム部材５１が同方向に回動し、そこに係合する作動杆３４が上に移動し、それにより、上部と下部の作動係合部３４ａ、３４ｂ（支持板３３のガイド係止孔３８のロック部３８ａに対向して位置する）が同様に移動し、そのロック部３８ａ内の係止ピン４４を図１５の上側に押すように作用する。
【００４６】
このとき、係止ピン４４は、図１５に示すように、ばね部材４３による付勢力によって、ロック部３８ａからガイド係止孔３８へと移動し、ラッチ部材４０，４０のラッチ位置でのロックが外れる。つまり、ラッチ部材４０，４０はばね部材４３の付勢力により、図１５の時計方向に回動し、拘束されていた受け具１の係止部３，４の合成樹脂製被覆部１０の円柱部１１がラッチ部材４０，４０のラッチ凹部４５、４５から外れ、開口凹部３３ｂ、３３ｃからも押し出されて解錠状態となる。
【００４７】
ゲーム機のリセットなどで機能スイッチ４７を動作させる場合、シリンダ錠３７に挿入した鍵を左に回すと、カム部材５１が図８ｃの時計方向に回動する。このとき、ロック部材４８がロック位置（図８ｂ）にあっても、カム部材５１は図８ｃの時計方向には回動可能であり、これにより、カム部材５１の係合凸部５１ｂが作動杆３４の上部の係合孔３４ｃに係合し、作動杆３４が下側に移動し、スイッチ作動部３４ｅが機能スイッチ４７に作用してこれをオンさせる。
【００４８】
このように、第２シリンダ錠４９により解錠動作がロックされている状態であっても、シリンダ錠３７を左側に回して機能スイッチ４７を動作させることができる。
【００４９】
また、受け具１においては、係止部３，４の位置調整を係止芯部５，６の曲げ調整により適正に行なうことができ、施錠時、ラッチ部材４０，４０のラッチ凹部４５，４５内に係止部３，４の円柱部１１を円滑に嵌合・拘束させ、適正なロック状態を保持することができる。
【図面の簡単な説明】
【００５０】
【図１】本発明の施錠装置の受け具の一実施形態を示し、（ａ）は受け具の正面図、（ｂ）は同左側面図、（ｃ）は同右側面図、（ｄ）は同平面図である。
【図２】前左側からの同受け具の斜視図である。
【図３】右側背面からの同受け具の斜視図である。
【図４】係止部から合成樹脂製被腹部を外した状態の部分拡大斜視図である。
【図５】合成樹脂製被覆部の斜視図である。
【図６】右側からの係止部の斜視図である。
【図７】左側からの係止部の斜視図である。
【図８】（ａ）は施錠装置の左側面図、（ｂ）は同右側面図、（ｃ）は同背面図、（ｄ）は同平面図である。
【図９】施錠装置の分解左側面図である。
【図１０】施錠装置の分解背面図である。
【図１１】（ａ）はラッチ部材の分解斜視図、（ｂ）はラッチ部材の側面図である。
【図１２】使用状態を示す前扉開放時の断面付きの右側面図である。
【図１３】使用状態を示す前扉閉鎖時の断面付きの右側面図である。
【図１４】施錠時のラッチ部材の動きを示す説明図である。
【図１５】解錠時のラッチ部材の動きを示す説明図である。
【符号の説明】
【００５１】
１      受け具
２      取付部
３、４      係止部
５、６      係止芯部
１０    合成樹脂製被覆部
１１    円柱部
３１    基枠体
３２    取付板
３３    支持板
３４    作動杆
３４ａ  作動係合部
３４ｃ  係合孔
３４ｄ  係合孔
３５    枢軸
３７    シリンダ錠
３８    ガイド係止孔
３８ａ  ロック部
４０    ラッチ部材
４２    カバー板
４４    係止ピン
４５    ラッチ凹部
【図１】
2008174948.tif 000003
【図２】
2008174948.tif 000004
【図３】
2008174948.tif 000005
【図４】
2008174948.tif 000006
【図５】
2008174948.tif 000007
【図６】
2008174948.tif 000008
【図７】
2008174948.tif 000009
【図８】
2008174948.tif 000010
【図９】
2008174948.tif 000011
【図１０】
2008174948.tif 000012
【図１１】
2008174948.tif 000013
【図１２】
2008174948.tif 000014
【図１３】
2008174948.tif 000015
【図１４】
2008174948.tif 000016
【図１５】
2008174948.tif 000017